(57)【要約】【課題】  袋状布団側地に充填された柔軟性詰め物の素材や品質を、該袋状布団側地の破断や裁断なしに確実に確認することができ、さらに布団を構成する袋状布団側地と内部の柔軟性詰め物を個別に洗浄することができる布団を提供する。【解決手段】  表側地１ａ及び裏側地１ｂから形成された袋状布団側地１に柔軟性詰め物２１を充填してなる布団において、第一開閉口４を備えた袋状布団側地１と、前記袋状布団側地１に第一開閉口４を介して出し入れ可能に収容されると共に第二開閉口６を備えた通気性薄布地製の一体又は複数体の半透明ボックス５と、前記半透明ボックス５に第二開閉口６を介して出し入れ可能に充填された柔軟性詰め物２１とからなることを特徴としている。【選択図】      図１
2009195491.tif 000002
【特許請求の範囲】
【請求項１】
表側地及び裏側地から形成された袋状布団側地に柔軟性詰め物を充填してなる布団において、第一開閉口を備えた袋状布団側地と、前記袋状布団側地に第一開閉口を介して出し入れ可能に収容されると共に第二開閉口を備えた通気性薄布地製の一体又は複数体の半透明ボックスと、前記半透明ボックスに第二開閉口を介して出し入れ可能に充填された柔軟性詰め物とからなることを特徴とする布団。
【請求項２】
前記袋状布団側地とそれに隣接する半透明ボックスとが、相互に設けられた連結手段により着脱可能に連結された請求項１に記載の布団。
【請求項３】
前記半透明ボックスとそれに隣接する他の半透明ボックスとが、相互に設けられた連結手段により着脱可能に連結された請求項１又は２に記載の布団。
【請求項４】
表側地及び裏側地から形成された袋状布団側地に柔軟性詰め物を充填してなる布団において、第一開閉口を備えた袋状布団側地と、前記袋状布団側地に第一開閉口を内側から開閉可能に覆うように設けられると共にそれによって第一開閉口と連通する第二開閉口を形成する通気性薄布地製の半透明カバーと、前記袋状布団側地に第一開閉口及び第二開閉口を介して出し入れ可能に充填された柔軟性詰め物とからなることを特徴とする布団。
【発明の詳細な説明】
【技術分野】
【０００１】
本発明は、表側地及び裏側地から形成された袋状布団側地に羽毛等の柔軟性詰め物を充填してなる布団に関する。
【背景技術】
【０００２】
布団の柔軟性詰め物として、従来、羽毛、羊毛、天然綿及び合成綿等が各々単独で、或いは適宜の混合比で使用され、これらの柔軟性詰め物の素材や品質は消費者、取引者等にとって布団を選択する場合の最大の要素となっている。しかしながら、袋状布団側地に充填された柔軟性詰め物は、該袋状布団側地から漏出しないように縫着等により封止されているので、消費者、取引者等は、袋状布団側地を破断、裁断しない限り、内部の柔軟性詰め物の素材や品質を確実に確認することが困難であった。
【０００３】
また、布団の洗浄に際しては、柔軟性詰め物が特に羽毛等の場合に、該柔軟性詰め物が袋状布団側地に充填された状態での洗浄では、多くの場合に袋状布団側地にダウンプルーフ加工が施されていること等もあって、該柔軟性詰め物を十分清浄に再生することが困難であり、実際には、袋状布団側地を裁断して取り出した柔軟性詰め物が所要の洗浄に供される一方、裁断された袋状布団側地は破棄されることになり、従って布団を構成する袋状布団側地と内部の柔軟性詰め物を個別に洗浄することが困難であった。また、前記のような実情から、布団が長期間にわたって洗浄されずに使用されることが多くなり、袋状布団側地及び内部の柔軟性詰め物が共にダニの発生や汚れ等で不衛生になると共に袋状布団側地の損傷も進みがちであった。
【０００４】
前者の問題に対しては、袋状布団側地に開口部を設けると共に該開口部に樹脂製の透明シートを設けたもの（登録実用新案第３０５０１８６号、特開平１１−１９２１４５号、）や樹脂製の透明中袋（実公昭６２−２２２１２号、登録実用新案第３００７５０２号）を設けたものが提案され、これらの先行技術では、前記開口部の透明シートや透明中袋を介して内部の柔軟性詰め物を視認し、或いは該柔軟性詰め物と接触することが可能である。
【０００５】
しかしながら、前記の先行技術における柔軟性詰め物の視認や接触は、何れも、開口部の透明シートや透明中袋を介しての間接的なものであり、直接的な視認や直接的な接触の実感による素材や品質の確認、さらには内部の柔軟性詰め物を一部採取しての素材や品質の確認が得られないという問題があった。また、前記先行技術では、既述の後者の問題の解消、即ち布団を構成する袋状布団側地と内部の柔軟性詰め物を個別に洗浄することも当然不可能であった。
【特許文献１】実公昭６２−２２２１２号公報
【特許文献２】登録実用新案第３００７５０２号公報
【特許文献３】登録実用新案第３０５０１８６号公報
【特許文献４】特開平１１−１９２１４５号公報
【発明の開示】
【発明が解決しようとする課題】
【０００６】
従って、本発明の課題は、袋状布団側地に充填された柔軟性詰め物の素材や品質を、該袋状布団側地の破断や裁断なしに確実に確認することができ、さらに布団を構成する袋状布団側地と内部の柔軟性詰め物を個別に洗浄することができ、またそれによって袋状布団側地及び内部の柔軟性詰め物を常時、清浄に且つ衛生的に保持することができると共に袋状布団側地の損傷の軽減、袋状布団側地の破棄を伴わない布団洗浄等にも資する布団を提供することにある。
【課題を解決するための手段】
【０００７】
請求項１に記載の発明に係る布団は、表側地及び裏側地から形成された袋状布団側地に柔軟性詰め物を充填してなる布団において、第一開閉口を備えた袋状布団側地と、前記袋状布団側地に第一開閉口を介して出し入れ可能に収容されると共に第二開閉口を備えた通気性薄布地製の一体又は複数体の半透明ボックスと、前記半透明ボックスに第二開閉口を介して出し入れ可能に充填された柔軟性詰め物とからなることを特徴としている。
【０００８】
前記構成において、袋状布団側地に充填された柔軟性詰め物の素材や品質を確認する場合は、袋状布団側地の第一開閉口を開放して、内部に収容されている半透明ボックスを露出させ、露出した前記半透明ボックスの薄布地を介して内部の柔軟性詰め物を視認し、或いは露出した前記半透明ボックスの薄布地に手等で接触して内部の柔軟性詰め物を実感し、必要に応じてさらに、露出した前記半透明ボックスの第二開閉口を開放して内部の柔軟性詰め物を一部採取して検査し、それらによって内部の柔軟性詰め物の素材や品質を直接、間接に確認することになる。なお、前記半透明ボックスの視認や接触、或いは半透明ボックスからの柔軟性詰め物の一部採取等に際して、必要に応じて、該半透明ボックスを、袋状布団側地から第一開閉口を介して一旦外部に取り出してもよい。前記のような柔軟性詰め物の素材や品質の確認後は、前記とは逆の順序で第二開閉口、第一開閉口を閉鎖し、元の状態に復帰させればよい。
【０００９】
また、前記構成において、布団を洗浄するに際しては、袋状布団側地の第一開閉口を開放し、内部に収容されている半透明ボックスを前記開放された第一開閉口を介して外部に取り出し、それによって分離された袋状布団側地と半透明ボックス内部の柔軟性詰め物を個別に洗浄に供することになる。袋状布団側地の洗浄に際しては、必要に応じてダウンプルーフ加工等が施されてもよい。また、柔軟性詰め物の洗浄に際しては、該柔軟性詰め物が半透明ボックスの第二開閉口を介して、或いは必要に応じて破断、裁断された半透明ボックスから排出される。
【００１０】
洗浄された柔軟性詰め物は、前記とは逆の順序で、従来の又は新規の通気性薄布地製の半透明ボックスに、開放された第二開閉口を介して再充填され、前記第二開閉口の閉鎖後、別途洗浄された袋状布団側地に、開放された第一開閉口を介して再収容され、最後に第一開閉口が閉鎖される。
【００１１】
前記袋状布団側地には、それと略同じサイズの一体の半透明ボックスが収容されてもよく、或いは互いに同じサイズ、異なるサイズの複数体の半透明ボックスが適宜の組み合わせで収容されてもよい。
【００１２】
前記半透明ボックスは、例えば立方体、直方体、その他の平行六面体、円柱状体、楕円体その他の形状であってもよい。また、前記半透明ボックスを構成する通気性半透明薄布の素材としては、内部の羽毛等が外部に噴き出し難く、しかも内部を透視することができるような通気性薄布地、例えばタフタが採用される。
【００１３】
前記第一開閉口及び第二開閉口の各開閉手段としては、例えば公知のスライドファスナー、面ファスナー、ホック、ボタン等が適宜使用される。また、既述の作用を奏し得る限り、前記袋状布団側地における第一開閉口の位置及び半透明ボックスにおける第二開閉口の位置に特別の制限はない。
【００１４】
請求項２に記載の発明に係る布団は、前記袋状布団側地とそれに隣接する半透明ボックスとが、相互に設けられた連結手段により着脱可能に連結されたものであり、この連結によって袋状布団側地に対する半透明ボックスの位置決めとずれ防止が両部材間の前記連結手段の可動範囲内において行われる。前記袋状布団側地とそれに隣接する半透明ボックスとの連結に際して、それらの各部材における各連結手段の設置位置や設置数等に特別の制限はない。前記連結手段としては、例えば線状体や帯状体等の結束、面ファスナー、ホック、ボタン等が適宜使用され、連結状態において可撓性、柔軟性又は屈曲性を有することが好ましい。
【００１５】
請求項３に記載の発明に係る布団は、前記半透明ボックスとそれに隣接する他の半透明ボックスとが、相互に設けられた連結手段により着脱可能に連結されたものであり、この連結によって半透明ボックス間の位置決めとずれ防止が両部材間の前記連結手段の可動範囲内において行われる。前記連結手段としては、例えば線状体や帯状体等の結束、面ファスナー、ホック、ボタン等が適宜使用され、連結状態において可撓性、柔軟性又は屈曲性を有することが好ましい。
【００１６】
請求項４に記載の発明に係る布団は、表側地及び裏側地から形成された袋状布団側地に柔軟性詰め物を充填してなる布団において、第一開閉口を備えた袋状布団側地と、前記袋状布団側地に第一開閉口を内側から開閉可能に覆うように設けられると共にそれによって第一開閉口と連通する第二開閉口を形成する通気性薄布地製の半透明カバーと、前記袋状布団側地に第一開閉口及び第二開閉口を介して出し入れ可能に充填された柔軟性詰め物とからなることを特徴としている。
【００１７】
前記構成において、袋状布団側地に充填された柔軟性詰め物の素材や品質を確認する場合は、袋状布団側地の第一開閉口を開放して、半透明カバーを露出させ、露出した前記半透明カバーの薄布地を介して内部の柔軟性詰め物を視認し、或いは露出した前記半透明カバーの薄布地に手等で接触して内部の柔軟性詰め物を実感し、必要に応じてさらに、露出した前記半透明カバーを一部又は全体的に開放すると共にそれによって第二開閉口を開放して内部の柔軟性詰め物を一部採取して検査し、それらによって内部の柔軟性詰め物の素材や品質を直接、間接に確認することになる。前記のような柔軟性詰め物の素材や品質の確認後は、前記とは逆の順序で第二開閉口、第一開閉口を閉鎖し、元の状態に復帰させればよい。
【００１８】
また、前記構成において、布団を洗浄するに際しては、袋状布団側地の第一開閉口を開放し、続いて露出した半透明カバーを一部又は全体的に開放すると共にそれによって第二開閉口を開放し、内部に充填されている柔軟性詰め物を排出し、それによって分離された袋状布団側地と柔軟性詰め物を個別に洗浄に供することになる。袋状布団側地の洗浄に際しては、必要に応じてダウンプルーフ加工等が施されてもよい。
【００１９】
洗浄された柔軟性詰め物は、前記とは逆の順序で、別途洗浄された袋状布団側地に、何れも開放された第一開閉口及び第二開閉口を介して再充填され、最後に第一開閉口及び第二開閉口が閉鎖される。
【００２０】
なお、前記袋状布団側地がキルティング加工により複数の小室に区画され、各小室に第一開閉口及び第二開閉口が設けられてもよい。また、前記半透明カバーを通気性半透明薄布の素材としては、既述のように、内部の羽毛等が外部に噴き出し難く、しかも内部を透視することができるような通気性薄布地、例えばタフタが採用される。
【００２１】
また、前記第一開閉口の開閉手段としては、例えばスライドファスナー、面ファスナー、ホック、ボタン等が適宜使用され、また第二開閉口を形成する半透明カバーの開閉手段としても、例えばスライドファスナーや面ファスナー等が適宜使用される。また、既述の作用を奏し得る限り、前記袋状布団側地における第一開閉口及び第二開閉口の各位置に特別の制限はない。
【発明の効果】
【００２２】
請求項１に係る発明によれば、袋状布団側地の第一開閉口を開放すると共に露出した通気性薄布地製の半透明ボックスの薄布地を介して内部の柔軟性詰め物を視認し、或いは前記薄布地に手等で接触して内部の柔軟性詰め物を実感することができ、必要に応じてさらに、通気性薄布地製半透明ボックスの第二開閉口を開放して内部の柔軟性詰め物を一部採取して検査することができる。さらに、前記発明によれば、袋状布団側地の開放された第一開閉口を介して内部の半透明ボックスを取り出すと共に、該半透明ボックスの開放された第二開閉口を介して、或いは該半透明ボックスを破断、裁断して内部の柔軟性詰め物を取り出し、それによって袋状布団側地と内部の柔軟性詰め物を該袋状布団側地の破断や裁断なしに分離することができる。
【００２３】
従って、前記の請求項１に係る発明によれば、袋状布団側地に充填された柔軟性詰め物の素材や品質を、該袋状布団側地の破断や裁断なしに確実に確認することができ、さらに布団を構成する袋状布団側地と内部の柔軟性詰め物を個別に洗浄することができ、またそれによって袋状布団側地及び内部の柔軟性詰め物を常時、清浄に且つ衛生的に保持することができると共に袋状布団側地の損傷の軽減、袋状布団側地の破棄を伴わない布団洗浄等にも資するものである。
【００２４】
請求項２に係る発明によれば、袋状布団側地内部において、袋状布団側地に対する半透明ボックスの位置決めとずれ防止が両部材間の前記連結手段の可動範囲内において行われる。
【００２５】
また、請求項３に係る発明によれば、袋状布団側地内部において、半透明ボックス間の位置決めとずれ防止が両部材間の前記連結手段の可動範囲内において行われ、それによって立体キルト状の布団が得られる。前記の請求項３に係る発明において、特に請求項２に係る発明におけるように袋状布団側地とそれに隣接する半透明ボックスとが着脱可能に連結されたものでは、袋状布団側地内部において各半透明ボックスの配置が各部材間の連結手段の可動範囲内において安定にずれなく保持され、さらに優れた立体キルト状の布団が得られる。
【００２６】
さらに、請求項４に係る発明によれば、袋状布団側地の第一開閉口を開放すると共に露出した通気性薄布地製の半透明カバーの薄布地を介して内部の柔軟性詰め物を視認し、或いは前記薄布地に手等で接触して内部の柔軟性詰め物を実感することができ、必要に応じてさらに、袋状布団側地の第二開閉口を開放して内部の柔軟性詰め物を一部採取して検査することができる。さらに、前記発明によれば、袋状布団側地の開放された第一開閉口及び第二開閉口を介して内部の柔軟性詰め物を取り出し、それによって袋状布団側地と内部の柔軟性詰め物を該袋状布団側地の破断や裁断なしに分離することができる。
【００２７】
従って、前記の請求項４に係る発明によれば、袋状布団側地に充填された柔軟性詰め物の素材や品質を、該袋状布団側地の破断や裁断なしに確実に確認することができ、さらに布団を構成する袋状布団側地と内部の柔軟性詰め物を個別に洗浄することができ、またそれによって袋状布団側地及び内部の柔軟性詰め物を常時、清浄に且つ衛生的に保持することができると共に袋状布団側地の損傷の軽減、袋状布団側地の破棄を伴わない布団洗浄等にも資するものである。
【発明を実施するための最良の形態】
【００２８】
以下、本発明を実施例に基づいて具体的に説明する。
【実施例１】
【００２９】
図１（Ａ）及び（Ｂ）は、本発明の実施例１に係る布団における第一開閉口の閉鎖時及び開放時の各状態を示す要部断面図である。
【００３０】
同図において、袋状布団側地１は表側地１ａ及び裏側地１ｂから形成されている。袋状布団側地１の四方の各側面内側には、連結手段としての面ファスナー付き第一帯片２が適宜の間隔で付設され、三方の縁部には、それらに沿って連続的に延びるスライドファスナー４ａにより開閉される第一開閉口４が設けられ、さらに内部には、直方体状の通気性薄布地製の半透明ボックス５が縦横に複数体収納されている。
【００３１】
各半透明ボックス５の四方の側面外側には、連結手段としての面ファスナー付き第二帯片３が適宜の間隔で付設され、一方の縁部には、紙面に垂直方向に延びるスライドファスナー６ａにより開閉される第二開閉口６が設けられ、さらに内部には、羽毛等からなる柔軟性詰め物２１が充填されている。なお、前記第一開閉口４が、袋状布団側地１の縁部の代わりに、例えば上面や下面側に設けられてもよく、また前記第二開閉口６が、半透明ボックス５の縁部の代わりに、例えば上面や下面側に設けられてもよい。
【００３２】
前記のように、袋状布団側地１の内部に各半透明ボックス５が収納された状態において、前記袋状布団側地１とそれに隣接する半透明ボックス５とは、両部材における連結手段としての面ファスナー付き第一帯片２と面ファスナー付き第二帯片３とにより若干の可動範囲をもって相互に連結され、また半透明ボックス５とそれに隣接する他の半透明ボックス５とは、両部材における連結手段としての面ファスナー付き第二帯片３、３同士により若干の可動範囲をもって相互に連結されている。
【００３３】
前記構成において、袋状布団側地１の第一開閉口４を同図（Ｂ）に示すように開放することにより、半透明ボックス５が露出されるので、そのままで或いはそれを外部に取り出して、該半透明ボックス５の薄布地を介して内部の柔軟性詰め物２１を視認し、或いは前記薄布地に手等で接触して内部の柔軟性詰め物２１を実感することができる。また、必要に応じてさらに、半透明ボックス５の第二開閉口６を開放して内部の柔軟性詰め物２１を一部採取して検査することができる。
【００３４】
また、袋状布団側地１の第一開閉口４を開放し、前記面ファスナー付き第一帯片２と面ファスナー付き第二帯片３との接合部を剥離し、必要に応じてさらに面ファスナー付き第二帯片３同士との接合部を剥離し、開放された第一開閉口４を介して内部の半透明ボックス５を取り出すと共に、該半透明ボックス５の開放された第二開閉口６を介して、或いは該半透明ボックス５を破断、裁断して内部の柔軟性詰め物２１を取り出し、それによって袋状布団側地１と内部の柔軟性詰め物２１を該袋状布団側地１の破断や裁断なしに分離すると共にそれらを個別に洗浄に供することができる。
【００３５】
洗浄された柔軟性詰め物２１は、前記とは逆の順序で、従来の又は新規の半透明ボックス５に、開放された第二開閉口６を介して再充填され、前記第二開閉口６の閉鎖後、別途洗浄された袋状布団側地１に、開放された第一開閉口４を介して再収容され、最後に第一開閉口４が閉鎖される。前記半透明ボックス５の再収容に際しては、対応する面ファスナー付き第一帯片２と面ファスナー付き第二帯片３、及び対応する面ファスナー付き第二帯片３同士が順次連結される。
【実施例２】
【００３６】
図２（Ａ）及び（Ｂ）は、本発明の実施例２に係る布団における第一開閉口の閉鎖時及び開放時の各状態を示す要部断面図である。
【００３７】
同図において、袋状布団側地１は表側地１ａ及び裏側地１ｂから形成され、立体キルティング加工部２２２により複数の小室２３に区画されている。なお、袋状布団側地１として、必要に応じて、前記キルティング加工がなされていないものを選択することも可能である。
【００３８】
袋状布団側地１における各小室２３の上面又は下面には、紙面に垂直方向に延びるスライドファスナー１４ａにより開閉される第一開閉口１４が設けられ、また該袋状布団側地１の各小室２３には、前記第一開閉口１４を内側から覆うと共に周縁の面ファスナー１６ａにより着脱開閉される通気性薄布地製の矩形半透明カバー１５が設けられ、それによって第一開閉口１４と連通する第二開閉口１６が形成され、さらに該袋状布団側地１の各小室２３内部には、羽毛等からなる柔軟性詰め物２１が充填されている。
【００３９】
前記構成において、袋状布団側地１における各小室２３の第一開閉口１４を同図（Ｂ）に示すように開放することにより、半透明カバー１５が露出されるので、該半透明カバー１５の薄布地を介して内部の柔軟性詰め物２１を視認し、或いは前記薄布地に手等で接触して内部の柔軟性詰め物２１を実感することができる。また、必要に応じてさらに、前記半透明カバー１５を面ファスナー１６ａの一部又は全体的な剥離によりに開放すると共にそれによって第二開閉口１６を開放し、内部の柔軟性詰め物２１を一部採取して検査することができる。
【００４０】
また、袋状布団側地１における各小室２３の開放された第一開閉口１４及び第二開閉口１６を介して内部の柔軟性詰め物２１を取り出し、それによって袋状布団側地１と内部の柔軟性詰め物２１を該袋状布団側地１の破断や裁断なしに分離すると共にそれらを個別に洗浄に供することができる。
【００４１】
洗浄された柔軟性詰め物２１は、前記とは逆の順序で、別途洗浄された袋状布団側地１に、何れも開放された第一開閉口１４及び第二開閉口１６を介して再充填され、最後に第一開閉口１４及び第二開閉口１６が閉鎖される。
【００４２】
図３は、本発明の実施例２に係る布団の変形例を示す要部断面図である。同図に示す変形例では、前記半透明カバー１５を前記のように周縁の面ファスナー１６ａにより着脱開閉する手段に代えて、前記第一開閉口１４を内側から覆うように周縁で固着された半透明カバー１５を紙面に垂直方向に延びるスライドファスナー１６ｂで開閉し得るように構成し、それによって第一開閉口１４と連通する第二開閉口１６が形成されている。
【図面の簡単な説明】
【００４３】
【図１】図１（Ａ）及び（Ｂ）は、本発明の実施例１に係る布団における第一開閉口の閉鎖時及び開放時の各状態を示す要部断面図である。
【図２】図２（Ａ）及び（Ｂ）は、本発明の実施例２に係る布団における第一開閉口の閉鎖時及び開放時の各状態を示す要部断面図である。
【図３】図３は、本発明の実施例２に係る布団の変形例を示す要部断面図である。
【符号の説明】
【００４４】
１  袋状布団側地
１ａ  表側地
１ｂ  裏側地
２  面ファスナー付き第一帯片（連結手段）
３  面ファスナー付き第二帯片（連結手段）
４  第一開閉口
４ａ  スライドファスナー
５  通気性薄布地製の半透明ボックス
６  第二開閉口
６ａ  スライドファスナー
１４  第一開閉口
１４ａ  スライドファスナー
１５  通気性薄布地製の半透明カバー
１６  第二開閉口
１６ａ  面ファスナー
１６ｂ  スライドファスナー
２１  柔軟性詰め物
２２  立体キルティング加工部
２３  小室
【図１】
2009195491.tif 000003
【図２】
2009195491.tif 000004
【図３】
2009195491.tif 000005